【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
a) 対象とする両面段ボール素材の両面側にそれぞれ設けられた、該両面段ボール素材の幅以上の長さを有し、該両面段ボール素材の面に対して30゜〜60゜の間の角度で傾斜した傾斜面を有する第１押圧部及び第２押圧部と、  b) 前記第１押圧部及び前記第２押圧部の傾斜面が互いにその全長で、かつ、該両面段ボール素材の厚さの0.5〜2倍の幅で、該両面段ボール素材を両側から押圧するように前記第１押圧部と前記第２押圧部を駆動する駆動手段と  を備えることを特徴とする両面段ボール素材への折罫付与装置。
【請求項２】
前記第１押圧部及び前記第２押圧部が、前記両面段ボール素材の両面側にそれぞれ、該両面段ボール素材の幅方向に延設された押罫ローラの表面に設けられ、前記駆動手段が前記両押罫ローラを回転駆動させることで前記第１押圧部及び前記第２押圧部をそれぞれ駆動させることを特徴とする請求項１に記載の両面段ボール素材への折罫付与装置。
【請求項３】
前記第１押圧部が、前記両面段ボール素材の一方の面側に、該両面段ボール素材の幅方向に延設された押罫ローラの表面に設けられ、前記第２押圧部が、前記両面段ボール素材の他方の面側に、該両面段ボール素材の幅方向に延設され、前記第１押圧部の回転押圧に従動して往復移動を可能とするガイド上に設けられ、  前記駆動手段が前記押罫ローラ及び第２押圧部を駆動させることを特徴とする請求項１に記載の両面段ボール素材への折罫付与装置。
【請求項４】
更に、  c) 前記第１押圧部及び前記第２押圧部の押圧箇所から前記両面段ボール素材の厚さの2〜4倍の距離を置いて同様に押圧するように設けられた第３押圧部及び第４押圧部と、  d) 前記第３押圧部と前記第４押圧部を前記第１押圧部と前記第２押圧部と同様に駆動する第２駆動手段と  を備えることを特徴とする請求項１に記載の両面段ボール素材への折罫付与装置。
【請求項５】
a) 対象とする両面段ボール素材の両面のうちの一方側に設けられた、該両面段ボール素材の幅以上の長さを有し、且つ、断面半円状の先端部を有する凸条部と、  b) 前記両面段ボール素材の両面側のうちの他方側に、該両面段ボール素材を挟んで前記凸条部の先端部と対向するように設けられた押罫部と、  c) 前記凸条部の先端部が、前記両面段ボール素材を挟んで前記押罫部に当接するように、前記第１凸条部及び前記押罫部の少なくとも一方を駆動する駆動手段と  を備えることを特徴とする両面段ボール素材への折罫付与装置。
【請求項６】
前記押罫部が、前記凸条部の先端部と同じ断面半円状の先端部を有する凸条部から成ることを特徴とする請求項５に記載の両面段ボール素材への折罫付与装置。
【請求項７】
前記押罫部が、前記凸条部の先端部と対応する形状である断面半円状の凹条部から成ることを特徴とする請求項５に記載の両面段ボール素材への折罫付与装置。
【請求項８】
前記凸条部及び前記押罫部が、前記両面段ボール素材の両面側に該両面段ボール素材の幅方向に延設された一対の押罫ローラの表面にそれぞれ設けられ、  前記駆動手段が前記一対の押罫ローラをそれぞれ回転駆動させることを特徴とする請求項５〜７のいずれかに記載の両面段ボール素材への折罫付与装置。
【請求項９】
前記凸条部が、前記両面段ボール素材の一面側に該両面段ボール素材の幅方向に延設された押罫ローラの表面に設けられ、  前記押罫部が、前記両面段ボール素材の他面側に該両面段ボール素材の幅方向に延設された平板の表面に設けられ、  前記駆動手段が前記両押罫ローラを回転駆動させることを特徴とする請求項５〜７のいずれかに記載の両面段ボール素材への折罫付与装置。
【請求項１０】
波目と垂直な方向に長尺である両面段ボールシートの両面に１本ずつ、波目に垂直な方向に互いに位置をずらせて形成された波目に平行な凹条部から成る折罫を、所定の折り畳み長さ毎に複数有する両面段ボールシート。
【請求項１１】
波目と垂直な方向に長尺である両面段ボールシートの両面に２本ずつ、波目に垂直な方向に互いに位置をずらせて形成された波目に平行な凹条部から成る折罫を、所定の折り畳み長さ毎に複数有する両面段ボールシート。
【請求項１２】
前記両面段ボールシートの両面のうちの一方に形成された凹条部と他方に形成された凹条部とが、波目と垂直な方向に一部重複していることを特徴とする請求項１０又は１１に記載の両面段ボールシート。
【請求項１３】
請求項１０〜１２のいずれかの両面段ボールシートを、前記折罫で交互に折り曲げて積み重ねた、ジャバラ状の両面段ボール素材。
【手続補正２】
【補正対象書類名】明細書
【補正対象項目名】０００１
【補正方法】変更
【補正の内容】
【０００１】  本発明は、多数の段ボール箱等を製造する際の原材料となる段ボール素材に折罫を付与する装置に関する。
【手続補正３】
【補正対象書類名】明細書
【補正対象項目名】００１１
【補正方法】変更
【補正の内容】
【００１１】  本発明が解決しようとする課題は、連続した両面段ボール素材に、両面方向に均等に折ることができる折罫を付与する装置を提供することである。
【手続補正４】
【補正対象書類名】明細書
【補正対象項目名】００１３
【補正方法】変更
【補正の内容】
【００１３】  本発明に係る両面段ボール素材への折罫付与装置では、両面段ボール素材は、その幅方向（JIS-Z0104段ボール用語3006）においては全幅に亘る長さで、流れ方向（JIS-Z0104段ボール用語3005）においてはその厚さの0.5〜2倍の長さで第１押圧部と第２押圧部により押圧される。このようにして形成された折罫は、対象とする両面段ボール素材の両面において僅かの（その厚さの0.5〜2倍以内の）位置的差異はあるものの、そこで一方の側に折ったときと他方の側に折ったときの厚さには差がない。また、その間の折り罫も1本だけであるため、折り畳み厚さも小さい。従って、両面段ボール素材をジャバラ状に折り畳んだとき、均等かつ高密度に折り畳むことができる。なお、本発明に係る折罫付与装置が対象とする両面段ボール素材は、紙製のもののほか、プラスチック製のものであってもよい。
【手続補正５】
【補正対象書類名】明細書
【補正対象項目名】００１５
【補正方法】変更
【補正の内容】
【００１５】  また、第１押圧部及び第２押圧部は、それぞれ押罫ローラの表面に設けてもよい。この場合、前記駆動手段は各押罫ローラを回転させることにより第１押圧部と第２押圧部を駆動する。
【手続補正６】
【補正対象書類名】明細書
【補正対象項目名】００１６
【補正方法】変更
【補正の内容】
【００１６】  さらには、第１押圧部を押罫ローラの表面に設けて回転させ、第２押圧部をそれに対向した位置に配置しておき、第１押圧部の回転押圧に従動して弾性的に退避するような構造としてもよい。なお、第１押圧部の回転押圧に従動して弾性的に退避するのではなく、第１押圧部の回転押圧に同期して移動するように制御されるものであってもよい。
【手続補正７】
【補正対象書類名】明細書
【補正対象項目名】００１７
【補正方法】変更
【補正の内容】
【００１７】  両面段ボール素材の厚さが大きい場合、上記のように片面に1本の折罫のみを付与するだけでは、180°折り曲げたときに折りの外側に大きな引張力がかかり、段ボール素材の外面が割れることがある。そのような場合には、上記のような折罫を近接して2本形成してもよい。  すなわち、上記折罫付与装置は、更に、  c) 前記第１押圧部及び前記第２押圧部の押圧箇所から前記両面段ボール素材の厚さの2〜4倍の距離を置いて同様に押圧するように設けられた第３押圧部及び第４押圧部と、  d) 前記第３押圧部と第４押圧部を前記第１押圧部と第２押圧部と同様に駆動する第２駆動手段と  を備えることを特徴とする。
【手続補正８】
【補正対象書類名】明細書
【補正対象項目名】００１８
【補正方法】変更
【補正の内容】
【００１８】  両面段ボール素材にこのように近接して2本の折罫を形成することで、両面段ボール素材をジャバラ状に折り畳む際にはこれらの近接した折罫がそれぞれ折れ曲がる。これにより、1つの罫における折れ曲がり角度はほぼ90°となり、両面段ボール素材の外面の破れを防ぐことができる。
【手続補正９】
【補正対象書類名】明細書
【補正対象項目名】００１９
【補正方法】変更
【補正の内容】
【００１９】  本発明に係る両面段ボール素材への折罫付与装置によれば、連続した両面段ボール素材に、両面方向に均等に折ることができる折罫を付与することができる。
【手続補正１０】
【補正対象書類名】明細書
【補正対象項目名】００２１
【補正方法】変更
【補正の内容】
【００２１】  図１により、両面段ボール素材の製造工程の一例を説明する。表ライナー紙６１のロール１２、中しん紙６２のロール１４、裏ライナー紙６３のロール１６からそれぞれ原紙６１、６２、６３が引き出され、まず、シングルフェイサ２０においてコルゲータ２１により中しん紙６２に波形の段が形成され、表ライナー紙６１と接着されて片面段ボール１７が製造される。次にダブルフェイサ３０において、この片面段ボール１７の波板側に裏ライナー紙６３が接着され、両面段ボール素材６０が製造される。なお、各原紙は接着剤による貼合前にヒータ２２、３１、３２により加熱され、製造された両面段ボール素材６０もヒータ３３により加熱され、接着が養生（固定）される。
【手続補正１１】
【補正対象書類名】明細書
【補正対象項目名】００２２
【補正方法】変更
【補正の内容】
【００２２】  製造された両面段ボール素材６０は、本発明に係る折罫付与装置１００により所定の長さ毎に両面側から折罫が形成される。その後、スタッカー４２において交互に折り込まれ、ジャバラ状に折り畳まれる。その様子を図２に示す。図２(a)の紙面の左から折罫が付与された両面段ボール素材６０が供給される。両面段ボール素材６０に付与された折罫Aは、両面段ボール素材６０に押しだされることで図２(b)に示すように折れ曲がり、ジャバラ状に積み重ねられる。
【手続補正１２】
【補正対象書類名】明細書
【補正対象項目名】００２３
【補正方法】変更
【補正の内容】
【００２３】  本発明に係る折罫付与装置の第１の実施形態について、図３から図６を参照しつつ説明する。本実施形態の折罫付与装置１００は折罫の付与対象である両面段ボール素材６０の表面側に配置された第１押圧部１１１と、両面段ボール素材６０の裏面側に配置された第２押圧部１１２と、第１押圧部１１１を駆動する第１駆動部１２１と、第２押圧部１１２を駆動する第２駆動部１２２と、第１及び第２駆動部１２１、１２２に接続されこれらの動作を制御する制御部１３０で構成される。
【手続補正１３】
【補正対象書類名】明細書
【補正対象項目名】００２５
【補正方法】変更
【補正の内容】
【００２５】  図４に第１及び第２押圧部１１１、１１２の構造を示す。第１押圧部１１１及び第２押圧部１１２は、それぞれ第１傾斜面１１１ａ及び第２傾斜面１１２ａを有し、これらの傾斜面の幅は両面段ボール素材６０の厚さwと同一である。また、第１及び第２傾斜面１１１ａ、１１２ａは両面段ボール素材６０の表面及び裏面に対する角度θ=45°を有する。第１及び第２押圧部１１１、１１２の、両面段ボール素材６０の幅方向に沿う方向の長さは、図３(b)に示すように、両面段ボール素材６０よりも長いため、両面ダンボール素材６０の全幅に亘って折罫を付与することができる。また、第１押圧部１１１と第２押圧部１１２は、両面段ボール素材６０を押圧した際に傾斜面１１１ａ及び１１２ａが対向するように、両面段ボール素材６０の流れ方向にずらした位置に配置されている。
【手続補正１４】
【補正対象書類名】明細書
【補正対象項目名】００２９
【補正方法】変更
【補正の内容】
【００２９】  なお、両面段ボール素材６０が押圧される幅は第１及び第２傾斜面１１１ａ、１１２ａの幅により決まる。この幅が短すぎると折罫からずれた位置が折れ曲がることがある。この幅が長すぎると段ボール箱として組み立てた際に折罫が段ボール箱の面に折罫が位置した場合、強度が低下したり見た目が良くないため好ましくない。各傾斜面の幅は両面段ボール素材の厚さの0.5から2倍程度の範囲とすることで、折罫に沿って折りたたむことができ、且つ段ボール箱とした際に強度を維持し、見た目が悪くなることを防ぐことができる。
【手続補正１５】
【補正対象書類名】明細書
【補正対象項目名】００３０
【補正方法】変更
【補正の内容】
【００３０】  また、両面段ボール素材６０の高さのずれ幅ｄは、第１又は第２傾斜面１１１ａ、１１２ａと両面段ボール素材６０がなす角度θに影響される。θが大きい場合にはずれ幅ｄを大きくすることができる一方で、両面段ボール素材６０に対して直角に近い面で押圧するため、両面段ボール素材６０のライナー紙が破れてしまう可能性がある。また、θが小さい場合には上述の両面段ボール素材６０の高さのずれ幅ｄが小さくなるため、折り曲げ難くなる。角度θを30°から60°程度とすることで、適当なずれ幅ｄを形成しつつ、ライナー紙が破れないように押圧することができる。
【手続補正１６】
【補正対象書類名】明細書
【補正対象項目名】００３２
【補正方法】変更
【補正の内容】
【００３２】  第１押罫ローラ２４１及び第２押罫ローラ２４２は、それぞれ両面段ボール素材６０の幅方向に延設され、両面段ボール素材６０よりも広い幅を有する。また、これらの表面には軸方向に延設された第１押圧部２１１及び第２押圧部２１２がそれぞれ設けられている。第１押圧部２１１及び第２押圧部２１２の形状は、第１の実施形態と同一である。なお、第１押圧部２１１が第１押罫ローラ２４１の下端に位置し、第２押圧部２１２が第２押罫ローラ２４２の上端に位置するときに、第１及び第２押圧部２１１、２１２にそれぞれ設けられた傾斜面が対向するように、第１押罫ローラ２４１と第２押罫ローラ２４２は、回転中心を両面段ボール素材６０の流れ方向にずらして配置されている。
【手続補正１７】
【補正対象書類名】明細書
【補正対象項目名】００３５
【補正方法】変更
【補正の内容】
【００３５】  上記実施形態の変形例として、図７(b)に示すように、第１及び第２押罫ローラの一方を平板にすることもできる。この変形例では両面段ボール素材６０の裏面側に第２押圧部３１２を有する平板３４２を配設し、表面側に第１押圧部３１１を有する第１押罫ローラ３４１を設けている。平板３４２には両面段ボール素材６０の流れ方向にリニアガイド３４２ａ（本発明におけるガイド）が設けられており、第２押圧部３１２はリニアガイド３４２ａ上を移動可能な構成となっている。また、第２押圧部３１２はバネ３４２ｂにより両面段ボール素材６０の流れ方向とは逆の方向に付勢されており、外力が加わらない状態では図７(b)に示す位置に配置される。なお、第１押圧部３１１と第２押圧部３１２は、第１押圧部３１１が第１押罫ローラ３４１の下端に位置し、第２押圧部３１２が図７(b)に示す位置にあるときに、互いの傾斜面が対向するように、それぞれ配置されている。
【手続補正１８】
【補正対象書類名】明細書
【補正対象項目名】００３６
【補正方法】変更
【補正の内容】
【００３６】  次に本変形例の動作について説明する。制御部３３０からの制御指示により第１駆動部３２１が第１押罫ローラ３４１を回転駆動することで、第１押圧部３１１が第１押罫ローラ３４１の外周面に沿って移動する。第１押圧部３１１が下端にくると、両面段ボール素材６０が第１押圧部３１１と第２押圧部３１２の傾斜面に挟まれて押圧され、折罫が付与される。さらに第１押罫ローラ３４１が回転して第１押圧部３１１が第２押圧部３１２に近づくと、第２押圧部３１２が第１押圧部３１１に押され、バネ３４２ｂの付勢力に抗して両面段ボール素材６０の流れ方向にリニアガイド３４２ａに沿って移動する。これにより、両面段ボール素材６０は第１押圧部３１１と第２押圧部３１２の傾斜面の間に挟まれた状態で移動する。さらに第１押罫ローラ３４１が回転して第１押圧部３１１が両面ダンボール素材６０から離間すると、第２押圧部３１２に対する第１押圧部３１１からの力がなくなるため、第２押圧部３１２はバネ３４２ｂの付勢力によって図７（ｂ）に示す位置に戻る。本変形例でも、第１の実施形態と同様に図６に示すような折罫が形成される。
【手続補正１９】
【補正対象書類名】明細書
【補正対象項目名】００４４
【補正方法】変更
【補正の内容】
【００４４】  第１押圧部４１１の押圧箇所からと第３押圧部４１３までの間隔、すなわち折罫の間隔はジャバラ状に折り畳んだ際の両面段ボール素材６０の折りの厚さに影響する。この間隔が短いと、折り厚さを小さくすることができるが、折りの外側のライナー紙の近い位置2つの折罫の力がかかるため、ライナー紙が破れ易くなる。前記折罫の間隔が長いと折りの厚さが大きくなるため、ジャバラ状に積み上げたときに高く積み上がることになり、広い保管場所が必要となる。前記折罫の間隔を両面段ボール素材６０の厚さの2から4倍とすることで折の厚さを抑えつつ、ライナー紙にかかる力を分散させることができる。
【手続補正２０】
【補正対象書類名】明細書
【補正対象項目名】００４６
【補正方法】変更
【補正の内容】
【００４６】  上記実施形態の両面段ボール素材は、紙を原材料とするもので説明したが、プラスチックシートを用いたプラダンについても、両面段ボール素材を製造する工程を従来のプラダンを製造する工程で置き換えれば、そのまま適用することができる。
【手続補正２１】
【補正対象書類名】明細書
【補正対象項目名】００４９
【補正方法】変更
【補正の内容】
【００４９】  別の参考として図１１(a)から(c)に示すように両面段ボール素材の片側に平板を用いることもできる。図１１(a)に示す構成では、両面段ボール素材６０の裏面側に平板７４２を配設し、表面側に凸条７１１ｂを有する第１押罫ローラ７４１を設けている。第１押罫ローラ７４１が第１駆動部７２１により回転駆動されることで両面段ボール素材６０が凸条７１１ｂと平板７４２により押圧され、折罫が付与される。この場合、表用の罫と裏用の罫を別々に形成する必要があり、それぞれに図１１(a)のような設備を設ける必要があるが、罫ローラの寿命は長くなる。  図１１(b)の構成では、平板８４２に凹条８１２ｃが設けられている。両面段ボール素材６０は第１駆動部８２１により回転駆動される第１押罫ローラ８４１の凸条８１１ｂと凹条８１２ｃにより押圧され、折罫が付与される。  図１１(c)の構成では、平板９１２に凸条９１２ｂが設けられている。両面段ボール素材６０は第１駆動部９２１により回転駆動される第１押罫ローラ９４１の凸条９１１ｂと凸条９１２ｂにより押圧され、折罫が付与される。